(57)【要約】【課題】紙種に応じた出力モードで印刷が可能であると共に、紙種とユーザーが設定した出力モードに不整合があるためにユーザーの設定操作が無駄になる不都合を防止できる画像形成装置及び出力モード設定プログラムを提供する。【解決手段】画像形成装置１または外部に備えられた出力モード情報記憶手段１１０に、複数の紙種毎に出力モードが対応付けられた出力モード情報が予め記憶されている。印刷時に、給紙手段２０から給紙される用紙Ｓの紙種が紙種検出手段９０により検出される。そして、検出された紙種に対応する出力モードが、出力モード情報記憶手段１１０に記憶された出力モード情報に基づいて特定され、この特定された出力モードにより印刷が実行される。【選択図】図７
2019184812.tif 000002
【特許請求の範囲】
【請求項１】
用紙を給紙する給紙手段と、
前記給手段から給紙された用紙の紙種を検出する紙種検出手段と、
自装置または外部に備えられ、複数の紙種毎に出力モードが対応付けられた出力モード情報を予め記憶する出力モード情報記憶手段と、
印刷手段と、
前記印刷手段による印刷時に、前記紙種検出手段により検出された用紙の紙種に対応する出力モードを、前記出力モード情報記憶手段に記憶された出力モード情報に基づいて特定するとともに、特定した出力モードにより前記印刷手段に印刷を実行させる制御手段と、
を備えたことを特徴とする画像形成装置。
【請求項２】
前記出力モードでは、カラー、ページ割り付け、面割り付けの少なくとも何れかが設定されている請求項１に記載の画像形成装置。
【請求項３】
表示手段を備え、
前記制御手段は、前記表示手段にユーザーが出力モードを設定するための設定画面を表示することなく、特定した出力モードにより前記印刷手段に印刷を実行させる請求項１または２に記載の画像形成装置。
【請求項４】
前記紙種検出手段は、紙厚、光沢、反射率、透過率、坪量の少なくとも何れかに基づいて紙種を検出する請求項１〜３の何れかに記載の画像形成装置。
【請求項５】
紙厚、光沢、反射率、透過率、坪量の少なくとも何れかの特性の範囲が、紙種毎に対応して設定されている請求項４に記載の画像形成装置。
【請求項６】
前記紙種検出手段は、用紙の印字面先端に画像が存在する場合、紙種はレターヘッドであると判断する請求項１〜５の何れかに記載の画像形成装置。
【請求項７】
前記紙種検出手段は、紙厚が所定厚以上でかつ用紙の印字面先端に画像が存在する場合、紙種はレターヘッドであると判断する請求項１〜５の何れかに記載の画像形成装置。
【請求項８】
紙種に応じた出力モードで印刷するか否かを設定可能な設定手段を備えている請求項１〜７の何れかに記載の画像形成装置。
【請求項９】
前記設定手段は、ユーザー認証が行われた場合には紙種に応じた出力モードで出力しない設定が可能である請求項８に記載の画像形成装置。
【請求項１０】
前記制御手段は、ユーザーによってカラーモードの設定がなされた場合、特定された前記出力モードにおいてカラーモードの設定が予めなされていても、ユーザーによるカラーモードの設定を優先して前記印刷手段に出力を実行させる請求項１〜９の何れかに記載の画像形成装置。
【請求項１１】
前記制御手段は、ユーザーによってページ割り付けの設定がなされた場合、特定された前記出力モードにおいてページ割り付けの別の設定が予めなされていても、ユーザーによるページ割り付けの設定を優先して前記印刷手段に出力を実行させる請求項１〜９の何れかに記載の画像形成装置。
【請求項１２】
前記制御手段は、ユーザーによって面割り付けの設定がなされた場合、特定された前記出力モードにおいて面割り付けの別の設定が予めなされていても、ユーザーによる面割り付けの設定を優先して前記印刷手段に印刷を実行させる請求項１〜９の何れかに記載の画像形成装置。
【請求項１３】
前記給紙手段に備えられた複数の給紙カセットにおける各カセット毎に用紙の紙種と出力モードが対応付けられている請求項１〜１２の何れかに記載の画像形成装置。
【請求項１４】
前記給紙手段に備えられた複数の給紙カセットについて、用紙を給紙される給紙カセットが切り替わったときにのみ、前記紙種検出手段は切り替え後の給紙カセットから給紙された用紙の紙種を検出し、前記制御手段は、検出された前記紙種に対応付けられた出力モードで印刷を実行させる請求項１〜１３の何れかに記載の画像形成装置。
【請求項１５】
印刷の途中で用紙の紙種が変更された場合に、変更された紙種に応じた出力モードで印刷するか、出力開始時の先頭用紙の紙種に応じた出力モードで印刷するかを設定可能な設定手段を備えている請求項１〜１４の何れかに記載の画像形成装置。
【請求項１６】
前記制御手段は、印刷の途中で用紙の紙種が変更された場合に、前記印刷手段に、変更された紙種に応じた出力モードで印刷を実行させるか、印刷開始時の先頭用紙の紙種に応じた出力モードで印刷を実行させるかを、前記先頭用紙の紙種に基づいて決定する請求項１〜１５の何れかに記載の画像形成装置。
【請求項１７】
前記制御手段は、印刷の途中で用紙の紙種が変更された場合に、前記印刷手段に、変更された紙種に応じた出力モードで印刷を実行させるか、印刷開始時の先頭用紙の紙種に応じた出力モードで印刷を実行させるかを、変更された紙種に基づいて決定する請求項１〜１５の何れかに記載の画像形成装置。
【請求項１８】
選択された給紙口から前回給紙された用紙の紙種に対応付けられた出力モードの内容を表示可能な表示手段を備えている請求項１〜１７の何れかに記載の画像形成装置。
【請求項１９】
各紙種毎に対応付けられた出力モードの内容を表示可能な表示手段を備えている請求項１〜１８の何れかに記載の画像形成装置。
【請求項２０】
前記紙種検出手段により先頭の用紙の紙種が検出された時点で、紙種に対応付けられた出力モードを前記表示手段に表示するとともに、ユーザーに印刷を続行するか否かを確認する表示を行う表示手段を備えている請求項１〜１９の何れかに記載の画像形成装置。
【請求項２１】
印刷対象データを出力モードに応じて画像処理する画像処理手段と、
前記給紙手段に備えられた複数の給紙カセットの各カセット毎に、直前の印刷の最後に通紙した用紙の紙種を記憶する紙種記憶手段と、
を備え、
印刷時に、何れかの給紙カセットから給紙された用紙の紙種が前記紙種検出手段により検出されるまでは、前記画像処理手段は、その給紙カセットについて前記紙種記憶手段に記憶されている直前の印刷の最後に通紙した用紙の紙種に対応する画像処理を行い、検出された紙種が直前の印刷の最後に通紙した用紙の紙種と異なっている場合は、検出された紙種に対応する画像処理をやり直す請求項１〜２０の何れかに記載の画像形成装置。
【請求項２２】
印刷エンジンを備え、
印刷時に、何れかの給紙カセットから給紙された用紙の紙種が前記紙種検出手段により検出されるまでは、前記印刷エンジンは、その給紙カセットについて前記紙種記憶手段に記憶されている最後に通紙した用紙の紙種に対応する動作を行い、検出された紙種が最後に通紙した用紙の紙種と異なっている場合は、検出された紙種に対応する動作に切り替える請求項２１に記載の画像形成装置。
【請求項２３】
用紙を給紙する給紙手段から給紙された用紙の紙種を検出する紙種検出ステップと、
自装置または外部に備えられ、複数の紙種毎に出力モードが対応付けられた出力モード情報を予め出力モード情報記憶手段に記憶するステップと、
印刷手段による印刷時に、前記紙種検出ステップにより検出された用紙の紙種に対応する出力モードを、前記出力モード情報記憶手段に記憶された出力モード情報に基づいて特定するとともに、特定した出力モードにより前記印刷手段に印刷を実行させる制御ステップと、
を画像形成装置のコンピュータに実行させるための出力モード設定プログラム。
【発明の詳細な説明】
【技術分野】
【０００１】
この発明は、給紙手段から給紙された用紙に印刷を行う画像形成装置及び出力モード設定プログラムに関する。
【背景技術】
【０００２】
画像形成装置での印刷に用いられる用紙は多種多様のものが存在し、画像形成装置はユーザーが用意した用紙に対して適切な印刷を行う必要がある。
【０００３】
このため、給紙口毎に用紙種類つまり紙種を設定し、設定された紙種に応じた制御で印刷を行う技術が従来より知られている。
【０００４】
また特許文献１には、両面印刷モードとして給紙した用紙が裏紙であった場合は、片面印刷モードに切り替えられると共に、出力モードをトナーセーブモード、集約モード、あるいは低画質モード等に切り替える技術が開示されている。
【先行技術文献】
【特許文献】
【０００５】
【特許文献１】特開２００５−４９５８４号公報
【発明の概要】
【発明が解決しようとする課題】
【０００６】
しかしながら、給紙口毎に用紙種類つまり紙種を設定し、設定された紙種に応じた制御で印刷を行う技術では、設定された紙種と異なった用紙が通紙されると、適切な印刷結果が得られないという課題がある。
【０００７】
また、特許文献１に記載された技術は、紙種と出力モードに不整合があった場合にのみ、問題の少ない出力モードに切り替えるものであるが、ユーザーは両面と指示したにもかかわらず片面印刷モードに切り替えられるため、結果として両面モードを指示する操作が無駄になってしまうという課題がある。
【０００８】
この発明は、このような課題を解決するためになされたものであって、紙種に応じた出力モードで印刷が可能であると共に、紙種とユーザーが設定した出力モードに不整合があるためにユーザーの設定操作が無駄になる不都合を防止できる画像形成装置及び出力モード設定プログラムを提供することを目的とする。
【課題を解決するための手段】
【０００９】
上記目的は以下の手段によって達成される。
（１）用紙を給紙する給紙手段と、前記給手段から給紙された用紙の紙種を検出する紙種検出手段と、自装置または外部に備えられ、複数の紙種毎に出力モードが対応付けられた出力モード情報を予め記憶する出力モード情報記憶手段と、印刷手段と、前記印刷手段による印刷時に、前記紙種検出手段により検出された用紙の紙種に対応する出力モードを、前記出力モード情報記憶手段に記憶された出力モード情報に基づいて特定するとともに、特定した出力モードにより前記印刷手段に印刷を実行させる制御手段と、を備えたことを特徴とする画像形成装置。
（２）前記出力モードでは、カラー、ページ割り付け、面割り付けの少なくとも何れかが設定されている前項１に記載の画像形成装置。
（３）表示手段を備え、前記制御手段は、前記表示手段にユーザーが出力モードを設定するための設定画面を表示することなく、特定した出力モードにより前記印刷手段に印刷を実行させる前項１または２に記載の画像形成装置。
（４）前記紙種検出手段は、紙厚、光沢、反射率、透過率、坪量の少なくとも何れかに基づいて紙種を検出する前項１〜３の何れかに記載の画像形成装置。
（５）紙厚、光沢、反射率、透過率、坪量の少なくとも何れかの特性の範囲が、紙種毎に対応して設定されている前項４に記載の画像形成装置。
（６）前記紙種検出手段は、用紙の印字面先端に画像が存在する場合、紙種はレターヘッドであると判断する前項１〜５の何れかに記載の画像形成装置。
（７）前記紙種検出手段は、紙厚が所定厚以上でかつ用紙の印字面先端に画像が存在する場合、紙種はレターヘッドであると判断する前項１〜５の何れかに記載の画像形成装置。
（８）紙種に応じた出力モードで印刷するか否かを設定可能な設定手段を備えている前項１〜７の何れかに記載の画像形成装置。
（９）前記設定手段は、ユーザー認証が行われた場合には紙種に応じた出力モードで出力しない設定が可能である前項８に記載の画像形成装置。
（１０）前記制御手段は、ユーザーによってカラーモードの設定がなされた場合、特定された前記出力モードにおいてカラーモードの設定が予めなされていても、ユーザーによるカラーモードの設定を優先して前記印刷手段に出力を実行させる前項１〜９の何れかに記載の画像形成装置。
（１１）前記制御手段は、ユーザーによってページ割り付けの設定がなされた場合、特定された前記出力モードにおいてページ割り付けの別の設定が予めなされていても、ユーザーによるページ割り付けの設定を優先して前記印刷手段に出力を実行させる前項１〜９の何れかに記載の画像形成装置。
（１２）前記制御手段は、ユーザーによって面割り付けの設定がなされた場合、特定された前記出力モードにおいて面割り付けの別の設定が予めなされていても、ユーザーによる面割り付けの設定を優先して前記印刷手段に印刷を実行させる前項１〜９の何れかに記載の画像形成装置。
（１３）前記給紙手段に備えられた複数の給紙カセットにおける各カセット毎に用紙の紙種と出力モードが対応付けられている前項１〜１２の何れかに記載の画像形成装置。
（１４）前記給紙手段に備えられた複数の給紙カセットについて、用紙を給紙される給紙カセットが切り替わったときにのみ、前記紙種検出手段は切り替え後の給紙カセットから給紙された用紙の紙種を検出し、前記制御手段は、検出された前記紙種に対応付けられた出力モードで印刷を実行させる前項１〜１３の何れかに記載の画像形成装置。
（１５）印刷の途中で用紙の紙種が変更された場合に、変更された紙種に応じた出力モードで印刷するか、出力開始時の先頭用紙の紙種に応じた出力モードで印刷するかを設定可能な設定手段を備えている前項１〜１４の何れかに記載の画像形成装置。
（１６）前記制御手段は、印刷の途中で用紙の紙種が変更された場合に、前記印刷手段に、変更された紙種に応じた出力モードで印刷を実行させるか、印刷開始時の先頭用紙の紙種に応じた出力モードで印刷を実行させるかを、前記先頭用紙の紙種に基づいて決定する前項１〜１５の何れかに記載の画像形成装置。
（１７）前記制御手段は、印刷の途中で用紙の紙種が変更された場合に、前記印刷手段に、変更された紙種に応じた出力モードで印刷を実行させるか、印刷開始時の先頭用紙の紙種に応じた出力モードで印刷を実行させるかを、変更された紙種に基づいて決定する前項１〜１５の何れかに記載の画像形成装置。
（１８）選択された給紙口から前回給紙された用紙の紙種に対応付けられた出力モードの内容を表示可能な表示手段を備えている前項１〜１７の何れかに記載の画像形成装置。
（１９）各紙種毎に対応付けられた出力モードの内容を表示可能な表示手段を備えている前項１〜１８の何れかに記載の画像形成装置。
（２０）前記紙種検出手段により先頭の用紙の紙種が検出された時点で、紙種に対応付けられた出力モードを前記表示手段に表示するとともに、ユーザーに印刷を続行するか否かを確認する表示を行う表示手段を備えている前項１〜１９の何れかに記載の画像形成装置。
（２１）印刷対象データを出力モードに応じて画像処理する画像処理手段と、前記給紙手段に備えられた複数の給紙カセットの各カセット毎に、直前の印刷の最後に通紙した用紙の紙種を記憶する紙種記憶手段と、を備え、印刷時に、何れかの給紙カセットから給紙された用紙の紙種が前記紙種検出手段により検出されるまでは、前記画像処理手段は、その給紙カセットについて前記紙種記憶手段に記憶されている直前の印刷の最後に通紙した用紙の紙種に対応する画像処理を行い、検出された紙種が直前の印刷の最後に通紙した用紙の紙種と異なっている場合は、検出された紙種に対応する画像処理をやり直す前項１〜２０の何れかに記載の画像形成装置。
（２２）印刷エンジンを備え、印刷時に、何れかの給紙カセットから給紙された用紙の紙種が前記紙種検出手段により検出されるまでは、前記印刷エンジンは、その給紙カセットについて前記紙種記憶手段に記憶されている最後に通紙した用紙の紙種に対応する動作を行い、検出された紙種が最後に通紙した用紙の紙種と異なっている場合は、検出された紙種に対応する動作に切り替える前項２１に記載の画像形成装置。
（２３）用紙を給紙する給紙手段から給紙された用紙の紙種を検出する紙種検出ステップと、自装置または外部に備えられ、複数の紙種毎に出力モードが対応付けられた出力モード情報を予め出力モード情報記憶手段に記憶するステップと、印刷手段による印刷時に、前記紙種検出ステップにより検出された用紙の紙種に対応する出力モードを、前記出力モード情報記憶手段に記憶された出力モード情報に基づいて特定するとともに、特定した出力モードにより前記印刷手段に印刷を実行させる制御ステップと、を画像形成装置のコンピュータに実行させるための出力モード設定プログラム。
【発明の効果】
【００１０】
この発明によれば、自装置または外部に備えられた出力モード情報記憶手段に、複数の紙種毎に出力モードが対応付けられた出力モード情報が予め記憶されている。印刷時に、給紙手段から給紙される用紙の紙種が紙種検出手段により検出される。そして、検出された紙種に対応する出力モードが、出力モード情報記憶手段に記憶された出力モード情報に基づいて特定され、この特定された出力モードにより印刷が実行される。
【００１１】
従って、ユーザーが出力モードの設定を行わなくても、用紙の紙種に適した出力モードが自動的に設定され、この出力モードで印刷されるから、良好な印刷を行うことができる。また、ユーザーが出力モードの設定を行わなくても良いから、紙種とユーザーが設定した出力モードに不整合があるためにユーザーの設定操作が無駄になるといった不都合もなくなる。
【図面の簡単な説明】
【００１２】
【図１】この発明の一実施形態に係る画像形成装置の概略構成図である。
【図２】画像形成装置の電気的な構成を示すブロック図である。
【図３】各紙種毎に対応付けて出力モードを予め設定する場合の設定画面を示す図である。
【図４】紙種に応じた出力モードの設定を行うかどうかの問い合わせ画面を示す図である。
【図５】固定記憶装置に記憶されている出力モード情報を示す図である。
【図６】紙種と出力モードとの対応付け処理を示すフローチャートである。
【図７】印刷時の画像形成装置の動作を示すフローチャートである。
【図８】印刷時の画像形成装置の他の動作例を示すフローチャートである。
【図９】印刷時の画像形成装置のさらに他の動作例を示すフローチャートである。
【図１０】印刷時の画像形成装置のさらに他の動作例を示すフローチャートである。
【図１１】印刷時の画像形成装置のさらに他の動作例を示すフローチャートである。
【図１２】印刷時の画像形成装置のさらに他の動作例を示すフローチャートである。
【図１３】印刷時の画像形成装置のさらに他の動作例を示すフローチャートである。
【図１４】印刷時の画像形成装置のさらに他の動作例を示すフローチャートである。
【図１５】印刷時の画像形成装置のさらに他の動作例を示すフローチャートである。
【発明を実施するための形態】
【００１３】
以下、この発明の実施形態を図面に基づいて説明する。
【００１４】
図１は、この発明の一実施形態に係る画像形成装置１の概略構成図である。この例では、画像形成装置１としてタンデム型のカラープリンタが用いられている。
【００１５】
図１において、この画像形成装置１は、装置本体１Ａの下部に給紙部２０が、中央部に画像形成部１０が、上部に排紙部６０がそれぞれ配置されて構成されている。給紙部２０には複数（この例では２個）の給紙カセット２１が備えられ、各給紙カセット２１から排紙部６０に渡っては給紙部２０から繰り出された用紙Ｓを上方へ搬送する用紙搬送路２２が形成されている。
【００１６】
また、各給紙カセット２１の下流側には、用紙搬送路２２の近傍に用紙Ｓの種類である紙種を検出するための紙種検出センサ９０が設けられている。紙種検出センサ９０は給紙部２０から給紙され用紙搬送路２２を搬送される用紙Ｓの紙種を、紙厚、光沢、反射率、透過率、坪量の少なくとも何れかの特性に基づいて検出する。紙種検出センサ９０による紙種の検出技術は公知であるので、詳細な説明は省略する。
【００１７】
画像形成部１０は、装置本体１Ａの上下方向の略中央に配置された駆動ローラ１６及び従動ローラ１５と、これら駆動および従動ローラ１６，１５間に水平に掛設されて矢印方向へ走行する中間転写ベルト１４と、この走行方向に沿って配置されたイエロー（Ｙ），マゼンタ（Ｍ），シアン（Ｃ），ブラック（Ｋ）の各色の作像ユニットである感光体ユニット１２Ｙ，１２Ｍ，１２Ｃ，１２Ｋとを備えている。
【００１８】
各感光体ユニット１２Ｙ，１２Ｍ，１２Ｃ，１２Ｋで作成されたトナー画像を重ね合わせて転写ベルト１４に転写し、用紙搬送路２２を搬送されてくる用紙Ｓに対して転写ベルト１４の搬送端（図中右端）で２次転写を行い、用紙Ｓを定着部３０に送給してトナー画像の定着を行うようになっている。
【００１９】
各感光体ユニット１２Ｙ，１２Ｍ，１２Ｃ，１２Ｋは、静電複写方式により作像するもので、それらの周囲に配設された帯電器と、現像器１１Ｙ，１１Ｍ，１１Ｃ，１１Ｋと、感光体ドラム１３Ｙ，１３Ｍ，１３Ｃ，１３Ｋと、転写器等とを備えている。また、４個のレーザーダイオード、ポリゴンミラー、および走査レンズ等を有するプリントヘッド４１ならびに４つの反射ミラー４２等を備えた露光部４０の各レーザーダイオードにより、帯電器により帯電された各感光体ドラム１３Ｙ，１３Ｍ，１３Ｃ，１３Ｋの表面が露光され、該表面に静電潜像が形成されるようになっている。
【００２０】
また、各感光体ユニット１２Ｙ，１２Ｍ，１２Ｃ，１２Ｋの現像器１１Ｙ，１１Ｍ，１１Ｃ，１１Ｋにトナーを補給する補給機構として、トナーカートリッジ７０Ｙ，７０Ｍ，７０Ｃ，７０Ｋおよびサブホッパ８０Ｙ，８０Ｍ，８０Ｃ，８０Ｋが前記感光体ユニット１２Ｙ，１２Ｍ，１２Ｃ，１２Ｋの上方位置に配置されている。
【００２１】
なお、図１中、符号５０はキー部や表示部を備えた操作パネル部である。
【００２２】
図２は、画像形成装置１の電気的な構成を示すブロック図である。図２に示すように、画像形成装置１は、制御部１００、固定記憶装置１１０、画像読取装置１２０の他、上述した操作パネル部５０、画像形成部１０、給紙部２０、紙種検出センサ９０を備え、さらにプリンタコントローラ１５０及びネットワークインターフェイス（ネットワークＩ/Ｆ）１６０等を備え、互いにシステムバス１７５を介して接続されている。
【００２３】
制御部１００は、ＣＰＵ（Central Processing Unit）１０１、ＲＯＭ（Read Only Memory）１０２、Ｓ−ＲＡＭ（Static Random Access Memory）１０３、ＮＶ−ＲＡＭ（Non Volatile RAM）１０４及び時計ＩＣ１０５等を備えている。
【００２４】
ＣＰＵ１０１は、ＲＯＭ１０２等に保存されている動作プログラムを実行することにより、画像形成装置１の全体を統括的に制御する。例えばコピー機能、プリンタ機能、スキャン機能等を実行可能に制御するほか、特にこの実施形態では、印刷時に紙種検出センサ９０による用紙Ｓの紙種検出結果に基づいて、紙種に適した出力モード（印刷モード）を自動的に設定して印刷を実行する等の制御等を行うが、詳細は後述する。
【００２５】
ＲＯＭ１０２は、ＣＰＵ１０１が実行するプログラムやその他のデータを格納する。
【００２６】
Ｓ−ＲＡＭ１０３は、ＣＰＵ１０１がプログラムを実行する際の作業領域となるものであり、プログラムやプログラムを実行する際のデータ等を一時的に保存する。
【００２７】
ＮＶ−ＲＡＭ１０４は、バッテリでバックアップされた不揮発メモリであり、画像形成に係わる各種の設定や、表示部５４の画素数や、表示部５４に表示される各種画面のデータ等を記憶するものである。
【００２８】
時計ＩＣ１０５は、時刻を計時すると共に、内部タイマーとして機能し処理時間の計測等を行う。
【００２９】
固定記憶装置１１０は、ハードディスク等からなり、プログラムや各種データ等を保存する。
【００３０】
画像読取装置１２０は、スキャナ等を備え、プラテンガラス上にセットされた原稿を走査することによって読み取り、読み取った原稿を画像データに変換する。
【００３１】
操作パネル部５０は、ユーザーが画像形成装置１へジョブ等の指示や各種設定を行う際に用いられるものであり、リセットキー５１、スタートキー５２、ストップキー５３、表示部５４及びタッチパネル５５等を備えている。
【００３２】
リセットキー５１は、設定をリセットする際に使用されるものであり、スタートキー５２はスキャン等の開始操作に使用されるものであり、ストップキー５３は動作を中断する場合等に押下されるものである。
【００３３】
表示部５４は、例えば液晶表示装置からなりメッセージや各種の操作画面等を表示するものであり、タッチパネル５５は表示部５４の画面上に形成され、ユーザーのタッチ操作を検出する。
【００３４】
画像形成部１０は、画像読取装置１２０で読み取られた原稿の画像データや、外部操作から送信されたプリントデータから生成された複写画像を用紙上に印字するものであり、画像処理部１７と印刷エンジン１８等を備えている。
【００３５】
画像処理部１７は、印刷対象データを設定された出力モードに応じて画像処理するものである。また、印刷エンジン１８は、画像形成に係わるハードウェア部分をいい、例えば感光体ユニット１２Ｙ，１２Ｍ，１２Ｃ，１２Ｋ、現像器１１Ｙ，１１Ｍ，１１Ｃ，１１Ｋ、感光体ドラム１３Ｙ，１３Ｍ，１３Ｃ，１３Ｋと、帯電器、転写器、レーザーダイオード、ポリゴンミラー、プリントヘッド４１、及びこれらを駆動するモータ等をいう。
【００３６】
プリンタコントローラ１５０は、ネットワークインターフェース１６０によって受信されたプリントデータから複写画像を生成するものである。
【００３７】
ネットワークインターフェース（ネットワークＩ/Ｆ）１６０は、外部の端末装置等との間でデータの送受信を行う通信手段として機能する。
【００３８】
紙種検出センサ９０は、前述したように、用紙Ｓの紙種を、紙厚、光沢、反射率、透過率、坪量の少なくとも何れかに基づいて検出する。この実施形態では、紙種として、普通紙、薄紙、上質紙、厚紙、レターヘッド等が設定されており、各紙種に対応して、紙厚、光沢、反射率、透過率、坪量の少なくとも何れかの特性の範囲が設定され、測定値と設定値を比較等することにより、紙種を検出するようになっている。また、レターヘッドについては、用紙の印字面先端に画像が存在する場合や、紙厚が所定厚以上でかつ用紙の印字面先端に画像が存在する場合に、紙種はレターヘッドであると判断するようになっている。
【００３９】
次に、図１及び図２に示した画像形成装置１の印刷時の動作を説明する。
【００４０】
この実施形態では、給紙部２０から給紙された用紙Ｓの紙種が紙種検出センサ９０で検出され、この検出された紙種に対応付けられた出力モードで印刷が行われる。このために、各紙種毎に出力モードが対応付けられた出力モード情報が、例えば固定記憶装置１１０にテーブルとして予め記憶されている。
【００４１】
図３は、各紙種毎に対応付けて出力モードを予め設定する場合の設定画面を示す図である。このような設定は、例えば画像形成装置１の管理者等によって行われる。
【００４２】
図３に示す設定画面では、紙種選択ボタン５４ａと、カラー／モノクロ選択ボタン５４ｂと、ページ割り付け選択ボタン５４ｃと、面割り付け選択ボタン５４ｄが表示されている。
【００４３】
図３の例では、紙種選択ボタン５４ａにより、紙種として普通紙、薄紙、上質紙、厚紙、レターヘッドの何れかを選択可能となっている。カラー／モノクロ選択ボタン５４ｂ、ページ割り付け選択ボタン５４ｃ、及び面割り付け選択ボタン５４ｄは、出力モードを設定するためのボタンであり、カラー／モノクロ選択ボタン５４ｂによりカラーモードかモノクロモードを選択可能であり、ページ割り付け選択ボタン５４ｃにより、１ページを１枚の用紙に印刷する１ｉｎ１モードか２ページを１枚の用紙に印刷する２ｉｎ１モードを選択可能であり、面割り付け選択ボタン５４ｄにより片面印刷モードか両面印刷モードを選択可能になっている。図３において、ハッチングで示すボタンは選択されていることを示す。
【００４４】
管理者等は、各選択ボタンにより、紙種、カラーモード／モノクロモード、１ｉｎ１モード／２ｉｎ１モード、片面印刷モード／両面印刷モードを選択した後、図示しない実行ボタンを押すと、選択された紙種に対して、選択されたカラーモード／モノクロモード、１ｉｎ１モード／２ｉｎ１モード、片面印刷モード／両面印刷モードが対応付けられ、１つの紙種に対して１つの出力モードが設定される。このような操作を、他の紙種に対しても行うことで、各紙種毎に出力モードが対応付けられて予め設定される。そして、対応付けられた各紙種と出力モードとからなる出力モード情報が、画像形成装置１の固定記憶装置１１０にテーブルとして予め記憶される。なお、出力モード情報は画像形成装置１の内部記憶装置ではなく、外部の記憶装置に記憶され、画像形成装置１はこの外部記憶装置と通信を行うことでデータを送受しても良い。
【００４５】
検出された紙種に応じた出力モードを設定して印刷を行うかどうかは、管理者等によって設定されても良い。即ち、管理者等は例えば画像形成装置１の管理者モード等において図４に示すように、紙種に応じた出力モードの設定を行うかどうかの問い合わせ画面を表示部５４に表示し、「はい」ボタンが押されたときにのみ、図３の設定画面を表示して、紙種毎に対応付けて出力モードを予め設定しても良い。これによって、管理者等による出力モードの管理自由度が向上する。
【００４６】
図５は、固定記憶装置１１０に記憶されている出力モード情報を示す図である。図５の例では、紙種が再生紙の場合は、出力モードとしてモノクロモード、２ｉｎ１モード、両面印刷モードが対応付けられており、紙種が裏紙の場合は、出力モードとしてモノクロモード、２ｉｎ１モード、片面印刷モードが対応付けられており、紙種が普通紙の場合は、出力モードとしてモノクロモード、１ｉｎ１モード、両面印刷モードが対応付けられている。さらに、紙種が薄紙の場合は、出力モードとしてモノクロモード、１ｉｎ１モード、片面印刷モードが対応付けられており、紙種が厚紙、上質紙、レターヘッドの場合は、いずれも、出力モードとしてカラーモード、１ｉｎ１モード、片面印刷モードが対応付けられている。
【００４７】
なお、固定記憶装置１１０に記憶されている出力モード情報は、印刷を行うユーザーの操作に基づいて、任意のタイミングで表示部５４に表示されても良い。この表示により、ユーザーは紙種毎の出力モードを認識することができる。
【００４８】
図６は、紙種と出力モードとの対応付け処理を示すフローチャートである。このフローチャート及び図７以降のフローチャートで示される処理は、画像形成装置１のＣＰＵ１０１がＲＯＭ１０２等に記録された動作プログラムに従って動作することにより実行される。
【００４９】
ステップＳ０１では、管理者等の指示に基づいて表示部５４に図３に示したような設定画面を表示したのち、ステップＳ０２で、設定を受け付ける。次いでステップＳ０３で、設定された紙種と出力モードとを対応付けて固定記憶装置１１０等に記憶させたのち、ステップＳ０４で処理の終了が指示されたかどうかを判断する。指示されなければ（ステップＳ０４でＮＯ）、ステップＳ０１に戻り、次の紙種と出力モードとを対応付けのための設定画面を表示し、同様にしてステップＳ０２及びステップＳ０３の処理を行う。
【００５０】
ステップＳ０４で、処理の終了が指示された場合は（ステップＳ０４でＹＥＳ）、処理を終了する。
【００５１】
図７は、図６のフローチャートで作成され固定記憶装置１１０に記憶された、紙種毎に出力モードが対応付けられた出力モード情報のテーブルを用いて、印刷を行う場合の画像形成装置１の動作を示すフローチャートである。
【００５２】
ステップＳ１１では、給紙口（給紙トレイ）、用紙サイズ、部数などの入力を表示部５４の設定画面から受け付けた後、ステップＳ１２で、指定された給紙口から指定された用紙サイズの用紙を給紙する。給紙後、紙種検出センサ９０で用紙の紙種を検出する。
【００５３】
なお、紙種検出センサ９０による用紙の紙種の検出は、用紙の一枚毎に行っても良いし、複数枚印刷する場合は先頭の用紙の紙種のみを検出し、以後の用紙については同一の紙種であると推定してもよい。あるいは、各給紙口（給紙カセット）から最初に給紙された用紙の紙種を検出するとともに、その給紙口（給紙カセット）と検出した紙種を対応付けておくことで、各カセット毎に用紙の紙種と出力モードが対応付けられていても良い。
【００５４】
次にステップＳ１３で、出力モード情報のテーブルを参照し、検出された紙種に対応付けられた出力モードを特定する。
【００５５】
次に、ステップＳ１４で、特定した出力モードを設定したのち、ステップＳ１５で、出力モードに応じた画像処理を含む印刷処理を実行する。従って、操作パネル５０の表示部５４に出力モードの設定画面が表示されることなく、出力モードが自動的に設定され印刷が実行される。
【００５６】
このように、この実施形態では、画像形成装置１の固定記憶装置１１０または外部に備えられた記憶装置に、複数の紙種毎に出力モードが対応付けられた出力モード情報が予め記憶されている。そして、印刷時に、給紙部２０から給紙される用紙の紙種が紙種検出センサ９０により検出され、検出された紙種に対応する出力モードが、記憶装置に記憶された出力モード情報に基づいて特定され、この特定された出力モードにより印刷が実行される。
【００５７】
従って、ユーザーが出力モードの設定を行わなくても、用紙の紙種に適した出力モードが自動的に設定され、この出力モードで印刷されるから、良好な印刷を行うことができる。また、ユーザーが出力モードの設定を行わなくても良いから、紙種とユーザーが設定した出力モードに不整合があるためにユーザーの設定操作が無駄になるといった不都合もなくなる。
【００５８】
図８は、この発明の他の実施形態を示すものであり、画像形成装置１はユーザー認証機能を備えると共に、ユーザー認証が行われた場合は、紙種に応じた出力モードで出力しない設定がなされている場合の画像形成装置１の印刷時の動作を示すフローチャートである。ユーザー認証が行われた場合に紙種に応じた出力モードで出力しない設定は、画像形成装置１の管理者等によって行われる。
【００５９】
ステップＳ２１では、ユーザー認証が成功したかどうかを判断し、ユーザー認証が成功した場合は（ステップＳ２１でＹＥＳ）、ステップＳ２２で、表示部５４に出力モード設定画面を表示したのち、ステップＳ２３で、ユーザーによる出力モードの設定が終了したかどうかを調べる。終了していなければ（ステップＳ２３でＮＯ）、終了まで待つ。終了していると（ステップＳ２３でＹＥＳ）、ステップＳ２４で、ユーザーにより設定された出力モードで印刷処理を実行する。従って、この場合は紙種に応じた出力モードでの印刷は行われない。
【００６０】
ステップＳ２１でユーザー認証が成功しなかった場合（ステップＳ２１でＮＯ）、ステップＳ２５で、給紙口（給紙トレイ）、用紙サイズ、部数などの入力を表示部５４の設定画面から受け付けた後、ステップＳ２６で、指定された給紙口から指定された用紙サイズの用紙を給紙する。給紙後、紙種検出センサ９０で用紙の紙種を検出する。
【００６１】
次にステップＳ２７で、出力モード情報のテーブルを参照し、検出された紙種に対応付けられた出力モードを特定する。次に、ステップＳ２８で、特定した出力モードを設定したのち、ステップＳ２９で、出力モードに応じた印刷処理を実行する。
【００６２】
このように、ユーザー認証が行われた場合は、ユーザーの信頼性が高いことから、ユーザーの意思を尊重して、ユーザーが設定した出力モードで印刷を行う。
【００６３】
図９は、この発明のさらに他の実施形態を示すものであり、ユーザーにより行われたカラー／モノクロモードの設定を、紙種に対応する出力モードにおけるカラー／モノクロモードの設定よりも優先する場合の画像形成装置１の印刷時の動作を示すフローチャートである。
【００６４】
ステップＳ３１では、給紙口（給紙トレイ）、用紙サイズ、部数などの入力を表示部５４の設定画面から受け付けた後、ステップＳ３２で、カラー／モノクロモードの設定のみが可能な画面を表示し、ステップＳ３３で、スタートキー５２等が押されることにより印刷開始が指示されたかどうかを判断する。印刷開始が指示されなければ（ステップＳ３３でＮＯ）、ステップＳ３２に戻る。印刷開始が指示されると（ステップＳ３３でＹＥＳ）、ステップＳ３４で、給紙及び紙種の検出を行い、ステップＳ３５で、出力モード情報のテーブルを参照し、検出された紙種に対応付けられた出力モードを特定する。
【００６５】
次に、ステップＳ３６で、ユーザーによりカラー／モノクロモード設定がなされたかどうかを調べる。ユーザーによりカラー／モノクロモードの設定がなされた場合（ステップＳ３６でＹＥＳ）、ステップＳ３７では、紙種に対応する出力モードにおけるカラー／モノクロモードの設定よりもユーザーのカラー／モノクロモードの設定を優先した状態で出力モードの設定を変更した後、ステップＳ３８で印刷処理を実行する。
【００６６】
ステップＳ３６において、ユーザーによりカラー／モノクロモードの設定がなされていなければ（ステップＳ３６でＮＯ）、ステップＳ３９で、ステップＳ３５で特定された出力モードをそのまま設定した後、ステップＳ３８で印刷処理を実行する。
【００６７】
このように、この実施形態では、カラー／モノクロモードの設定についてユーザーの意思を尊重することができる。
【００６８】
なお、図９の例では、ユーザーによって設定されたカラー／モノクロモードの設定を、予め設定された紙種毎の出力モードにおけるカラー／モノクロモードの設定よりも優先した場合を説明したが、ページ割り付けの設定や、面割り付けの設定（片面又は両面印刷の設定）について、ユーザーによる設定を優先しても良い。
【００６９】
図１０は、この発明のさらに他の実施形態を示すものであり、用紙を給紙される給紙口（給紙トレイ）が、直近の印刷における給紙トレイから切り替わったときにのみ、紙種の検出を行って紙種に対応付けられた出力モードで印刷を実行する場合の画像形成装置１の動作を示すフローチャートである。
【００７０】
ステップＳ４１では、給紙口（給紙トレイ）、用紙サイズ、部数などの入力を表示部５４の設定画面から受け付けた後、ステップＳ４２で、直近の印刷時から給紙トレイ２１が切り替えられているかどうかを判断する。
【００７１】
切り替えられていれば（ステップＳ４２でＹＥＳ）、ステップＳ４３で、指定された給紙口から指定された用紙サイズの用紙を給紙する。給紙後、紙種検出センサ９０で用紙の紙種を検出する。
【００７２】
次にステップＳ４４で、出力モード情報のテーブルを参照し、検出された紙種に対応付けられた出力モードを特定し、ステップＳ４５で特定した出力モードを設定したのち、ステップＳ４６で、出力モードに応じた印刷処理を実行する。
【００７３】
ステップＳ４２で、給紙トレイが切り替えられていなければ（ステップＳ４２でＮＯ）、ステップＳ４７で、前回印刷時における紙種と同じ出力モードを設定し、ステップＳ４６で印刷処理を実行する。
【００７４】
このように、この実施形態では、給紙トレイ２１が切り替えられていなければ、前回印刷時における紙種と同じ出力モードが設定されるから、紙種の検出などの処理を省略することができる。
【００７５】
図１１は、この発明のさらに他の実施形態を示すものであり、印刷途中に用紙の紙種が変更された場合の画像形成装置１の動作を示すフローチャートである。この実施形態では、紙種変更後の出力モードで印刷を行うか否かが予め設定されており、この設定に基づいて、画像形成装置１は出力モードを変更するかどうかを判断するようになっている。なお、紙種変更後の出力モードで印刷を行うか否かの設定は、管理者等によって行われる。
【００７６】
ステップＳ５１では、給紙口（給紙トレイ）、用紙サイズ、部数などの入力を表示部５４の設定画面から受け付けた後、ステップＳ５２で、指定された給紙口から指定された用紙サイズの用紙を給紙する。給紙後、紙種検出センサ９０で用紙の紙種を検出する。
【００７７】
次にステップＳ５３で、出力モード情報のテーブルを参照し、検出された紙種に対応付けられた出力モードを特定したのち、ステップＳ５４で、特定した出力モードを設定したし、ステップＳ５５で印刷処理を実行する。
【００７８】
ステップＳ５６では印刷終了かどうかを判断し、印刷終了であれば（ステップＳ５６でＹＥＳ）、処理を終了する。印刷終了でなければ（ステップＳ５６でＮＯ）、ステップＳ５７で給紙及び紙種検出を行ったのち、ステップＳ５８で用紙の紙種が変更されたかどうかを判断する。紙種が変更された場合（ステップＳ５８でＹＥＳ）、ステップＳ５９で、変更後の紙種に応じた出力モードで印刷を行う設定がなされているかどうかを調べる。設定がなされていれば（ステップＳ５９でＹＥＳ）、ステップＳ６０で、変更後の紙種に応じた出力モードを特定して設定したのち、ステップＳ５５に戻り印刷を行う。
【００７９】
ステップＳ５８で、紙種が変更されていない場合（ステップＳ５８でＮＯ）、ステップＳ５５に戻り印刷を続行する。ステップＳ５９で、紙種変更後の出力モードで印刷を行う設定がなされていない場合も（ステップＳ５９でＮＯ）、ステップＳ５５に戻り、印刷を続行する。従ってこの場合は、変更前の紙種に対応する出力モードのままで印刷が行われる。
【００８０】
このように、印刷途中で紙種が変更された場合は、紙種変更後の出力モードで印刷を行う設定がなされているかどうかに従って、出力モードを変更するか否かの判断が行われる。
【００８１】
図１２は、この発明のさらに他の実施形態を示すものであり、印刷途中に用紙の紙種が変更された場合の画像形成装置１の動作を示すフローチャートである。この実施形態では、紙種変更後の出力モードで印刷を行うか否かを、印刷開始時の先頭用紙の紙種に従って判断するようになっている。例えば、先頭の用紙が上質紙であり印刷途中で上質紙以外の紙種に変更された場合は、上質紙に対応付けられた出力モードで印刷を継続し、先頭の用紙が再生紙であり印刷途中で再生紙以外の紙種に変更された場合は、再生紙以外の紙種に対応付けられた出力モードに変更して印刷を行う、といった具合である。印刷開始時の先頭用紙の紙種が、紙種変更後の出力モードに変更する紙種か変更しない紙種かの設定は、管理者等によって予め行われる。
【００８２】
ステップＳ６１では、給紙口（給紙トレイ）、用紙サイズ、部数などの入力を表示部５４の設定画面から受け付けた後、ステップＳ６２で、指定された給紙口から指定された用紙サイズの用紙を給紙する。給紙後、紙種検出センサ９０で用紙の紙種を検出する。
【００８３】
次にステップＳ６３で、出力モード情報のテーブルを参照し、検出された紙種に対応付けられた出力モードを特定したのち、ステップＳ６４で、特定した出力モードを設定したし、ステップＳ６５で印刷処理を実行する。
【００８４】
ステップＳ６６では印刷終了かどうかを判断し、印刷終了であれば（ステップＳ６６でＹＥＳ）、処理を終了する。印刷終了でなければ（ステップＳ６６でＮＯ）、ステップＳ６７で給紙及び紙種検出を行ったのち、ステップＳ６８で用紙の紙種が変更されたかどうかを判断する。紙種が変更された場合（ステップＳ６８でＹＥＳ）、ステップＳ６９で、印刷開始時の先頭の用紙の紙種は、出力モードを変更しない紙種かどうかを調べる。先頭の用紙の紙種が出力モードを変更しない紙種でない場合は（ステップＳ６９でＮＯ）、ステップＳ７０で、変更後の紙種に応じた出力モードを特定して設定したのち、ステップＳ６５に戻り印刷を行う。
【００８５】
ステップＳ６８で、紙種が変更されていない場合（ステップＳ６８でＮＯ）、ステップＳ６５に戻り印刷を続行する。ステップＳ６９で、先頭の用紙の紙種は出力モードを変更しない紙種である場合も（ステップＳ６９でＹＥＳ）、ステップＳ６５に戻り、印刷を続行する。従ってこの場合は、変更前の紙種（先頭の用紙と同じ紙種）に対応する出力モードのままで印刷が行われる。
【００８６】
このように、印刷途中で紙種が変更された場合は、先頭の用紙の紙種が出力モードを変更しない紙種であるかどうかに従って、出力モードを変更するか否かの判断が行われる。
【００８７】
図１３は、この発明のさらに他の実施形態を示すものであり、印刷途中に用紙の紙種が変更された場合の画像形成装置１の動作を示すフローチャートである。この実施形態では、紙種変更後の出力モードで印刷を行うか否かを、変更後の紙種に従って判断するようになっている。例えば、上質紙以外の紙種から印刷途中で上質紙に変更された場合は、上質紙に対応付けられた出力モードに変更して印刷を行い、普通紙以外の紙種から印刷途中で普通紙に変更されても、当初の出力モードを維持して印刷を行う、といった具合である。変更後の紙種が出力モードを変更する紙種か変更しない紙種かの設定は、管理者等によって予め行われる。
【００８８】
ステップＳ７１では、給紙口（給紙トレイ）、用紙サイズ、部数などの入力を表示部５４の設定画面から受け付けた後、ステップＳ７２で、指定された給紙口から指定された用紙サイズの用紙を給紙する。給紙後、紙種検出センサ９０で用紙の紙種を検出する。
【００８９】
次にステップＳ７３で、出力モード情報のテーブルを参照し、検出された紙種に対応付けられた出力モードを特定したのち、ステップＳ７４で、特定した出力モードを設定したし、ステップＳ７５で印刷処理を実行する。
【００９０】
ステップＳ７６では印刷終了かどうかを判断し、印刷終了であれば（ステップＳ７６でＹＥＳ）、処理を終了する。印刷終了でなければ（ステップＳ７６でＮＯ）、ステップＳ７７で給紙及び紙種検出を行ったのち、ステップＳ７８で用紙の紙種が変更されたかどうかを判断する。紙種が変更された場合（ステップＳ７８でＹＥＳ）、ステップＳ７９で、変更後の紙種は、出力モードを変更しない紙種かどうかを調べる。出力モードを変更しない紙種でない場合は（ステップＳ７９でＮＯ）、ステップＳ８０で、変更後の紙種に応じた出力モードを特定して設定したのち、ステップＳ７５に戻り印刷を行う。
【００９１】
ステップＳ７８で、紙種が変更されていない場合（ステップＳ７８でＮＯ）、ステップＳ７５に戻り印刷を続行する。ステップＳ７９で、変更後の紙種は出力モードを変更しない紙種である場合も（ステップＳ７９でＹＥＳ）、ステップＳ７５に戻り、印刷を続行する。従ってこの場合は、変更前の紙種に対応する出力モードのままで印刷が行われる。
【００９２】
このように、印刷途中で紙種が変更された場合は、変更後の紙種が出力モードを変更しない紙種であるかどうかに従って、出力モードを変更するか否かの判断が行われる。
【００９３】
図１４は、この発明のさらに他の実施形態を示すものであり、画像形成装置１の印刷時の動作を示すフローチャートである。この実施形態では、先頭の用紙の紙種を検出したときに、検出した紙種に対応付けられた出力モードを表示して、ユーザーに印刷を続行させるか否かを選択させるようになっている。
【００９４】
ステップＳ８１では、給紙口（給紙トレイ）、用紙サイズ、部数などの入力を表示部５４の設定画面から受け付けた後、ステップＳ８２で、指定された給紙口から指定された用紙サイズの用紙を給紙するとともに、先頭の用紙の紙種を検出する。
【００９５】
次いでステップＳ８３で、出力モード情報のテーブルを参照し、検出された紙種に対応付けられた出力モードを特定したのち、ステップＳ８４で、特定した出力モードを印刷を続行指示ボタン及び印刷中止ボタンとともに表示部５４に表示する。
【００９６】
ステップＳ８５では、印刷続行指示ボタンが押されることによる印刷続行指示を受け付けたかどうかを判断する。受け付けた場合は（ステップＳ８５でＹＥＳ）、ステップＳ８６で、特定した出力モードを設定したのち、ステップＳ８７で印刷処理を実行する。
【００９７】
ステップＳ８５において、印刷続行指示を受け付けなかった場合、換言すれば印刷中止ボタンが押された場合は（ステップＳ８５でＮＯ）、印刷を行うことなく処理を終了する。
【００９８】
このようにこの実施形態では、先頭の用紙の紙種を検出したときに、検出した紙種に対応付けられた出力モードを表示して、ユーザーに印刷を続行させるか否かを選択させるようになっているから、印刷を続行するか否かに関してユーザーの意思を尊重することができる。
【００９９】
図１５は、この発明のさらに他の実施形態を示すものであり、画像形成装置１の印刷時の動作を示すフローチャートである。この実施形態では、先頭の用紙の紙種が検出されるまでは、用紙が給紙された給紙カセットについて直前の印刷の最後に通紙した用紙の紙種に対応する出力モードの画像処理を実行するとともに、その出力モードに対応するように、画像形成に係わるハードウェア部分である印刷エンジン１８を起動・動作させ、検出された先頭の用紙の紙種が、直前の印刷の最後に通紙した用紙の紙種と異なっている場合は、検出された紙種に対応する画像処理をやり直すとともに、印刷エンジン１８の動作を切り替えるものである。
【０１００】
この実施形態では、複数の給紙カセット２１の各カセット毎に直前の印刷の最後に通紙した用紙の紙種を、固定記憶装置１１０に記憶している。
【０１０１】
ステップＳ９１では、給紙口（給紙トレイ）、用紙サイズ、部数などの入力を表示部５４の設定画面から受け付ける。
【０１０２】
次いでステップＳ９２で、用紙を給紙した給紙カセットについて、直前の印刷の最後に通紙した用紙の紙種を固定記憶装置１１０から呼び出して、その紙種に対応付けられた出力モードを設定し、その出力モードに応じた画像処理を画像処理部１７により実行するとともに印刷エンジン１８を動作させる。
【０１０３】
次に、ステップＳ９３で、指定された給紙口から指定された用紙サイズの用紙を給紙するとともに、先頭の用紙の紙種を検出したのち、ステップＳ９４で、検出した紙種は直前の印刷の最後に通紙した用紙の紙種と同じかどうかを判断する。
【０１０４】
同じ紙種であれば（ステップＳ９４でＹＥＳ）、ステップＳ９５で、そのまま印刷処理を実行する。なお、紙種が同じである場合に、その紙種に対応する出力モードの内容を表示部５４に表示してユーザーに知らせても良い。同じ紙種でなければ（ステップＳ９４でＮＯ）、ステップＳ９６で、出力モード情報のテーブルを参照し、検出された紙種に対応付けられた出力モードを特定し、ステップＳ９７で、特定した出力モードを設定するとともに、この出力モードに応じた画像処理部１７による画像処理を先頭の用紙からやり直し、印刷エンジン１８の動作も切り替えたのち、ステップＳ９５で印刷処理を実行する。
【０１０５】
このようにこの実施形態では、先頭の用紙の紙種が検出されるまでは、用紙が給紙された給紙カセット２１について直前の印刷の最後に通紙した用紙の紙種に対応する出力モードの画像処理を実行するとともに、その出力モードに対応するように、画像形成に係わるハードウェア部分である印刷エンジン１８を起動・動作させる。従って、検出された先頭の用紙の紙種が、直前の印刷の最後に通紙した用紙の紙種と同じであれば、紙種検出を待つこと無く画像処理及び印刷エンジン１８の動作が開始されるから、その分印刷処理を早期に開始することができ、ひいては印刷処理時間を短縮することができる。
【符号の説明】
【０１０６】
１    画像形成装置
１０  画像形成部
１７  画像処理部
１８  印刷エンジン
２０  給紙部
２１  給紙カセット
２２  用紙搬送路
５０  操作パネル部
５４  表示部
６０  排紙部
９０  紙種検出センサ
１００  制御部
１０１  ＣＰＵ
１０２  ＲＯＭ
１１０  固定記憶装置
Ｓ    用紙
【図１】
2019184812.tif 000003
【図２】
2019184812.tif 000004
【図３】
2019184812.tif 000005
【図４】
2019184812.tif 000006
【図５】
2019184812.tif 000007
【図６】
2019184812.tif 000008
【図７】
2019184812.tif 000009
【図８】
2019184812.tif 000010
【図９】
2019184812.tif 000011
【図１０】
2019184812.tif 000012
【図１１】
2019184812.tif 000013
【図１２】
2019184812.tif 000014
【図１３】
2019184812.tif 000015
【図１４】
2019184812.tif 000016
【図１５】
2019184812.tif 000017